(57)【特許請求の範囲】
【請求項１】
回動自在に保持された複数のルーバー羽板を具備するルーバーにおいて、
前記複数のルーバー羽板を２以上のグループに分け、グループごとに連動して回動する構成とし、
前記ルーバーは、ルーバー羽板と平行な方向にスライド可能に設けられ、
前記ルーバー羽板の一面に蓄熱材及び太陽光発電材を設け、他面に吸音材を設けた、
ことを特徴とするルーバー。
【請求項２】
前記ルーバーは、集合住宅の片側に配置された共用廊下側に設けられた掃き出し窓及び／または玄関扉の屋外側に設けられた、
ことを特徴とする請求項１に記載のルーバー。
【発明の詳細な説明】
【技術分野】
【０００１】
本発明は、室内を換気したり、室内に光を採り入れたり、プライバシーを守ったりするための複数のルーバー羽板を具備するルーバーの技術に関する。
【背景技術】
【０００２】
従来、室内を換気したり、室内に光を採り入れたり、プライバシーを守ったりするための複数のルーバー羽板を具備するルーバーが公知となっている。また、前記ルーバーのルーバー羽板は完全に閉じた遮蔽状態から完全に開いた開放状態まで角度調整をするために回動可能に構成されている（例えば特許文献１参照）。
【特許文献１】特開２０００−２５７３４７号公報
【発明の開示】
【発明が解決しようとする課題】
【０００３】
近年、環境保護の観点から、自然エネルギーを利用した住宅が注目されている。例えば、太陽光発電パネルによって発電を行ったり、太陽熱を利用して室内暖房を行ったりするものである。また、住宅にあたる昼間の日光の照射熱を蓄熱して、夜間の室内暖房に利用することにより、環境に考慮した室内暖房を提供することができる。このように、自然エネルギー、特に太陽からのエネルギーを利用することのできるルーバーは現在まで公知となっていない。
【０００４】
また、ルーバーの役割の一つであるプライバシーの保護において、室内空間の音漏れを防ぐことは重要である。そして、夜間、就寝時には屋外からの車の走行音などの騒音が室内空間に入ってくることを防ぐことが重要である。この二つの役割を果たすルーバーは現在まで公知となっていない。
【０００５】
そこで、本発明ではかかる課題に鑑み、室内を換気したり、室内に光を採り入れたり、プライバシーを守ったりすることのできるルーバーであって、昼間は太陽からの熱を蓄熱することができ、夜間に室内へ向けて放熱することのできるルーバー及びルーバーを備えた集合住宅を提供する。
【課題を解決するための手段】
【０００６】
本発明の解決しようとする課題は以上の如くであり、次にこの課題を解決するための手段を説明する。
【０００７】
請求項１においては、回動自在に保持された複数のルーバー羽板を具備するルーバーにおいて、前記複数のルーバー羽板を２以上のグループに分け、グループごとに連動して回動する構成とし、前記ルーバーは、ルーバー羽板と平行な方向にスライド可能に設けられ、前記ルーバー羽板の一面に蓄熱材及び太陽光発電材を設け、他面に吸音材を設けたものである。
【０００８】
請求項２においては、前記ルーバーは、集合住宅の片側に配置された共用廊下側に設けられた掃き出し窓及び／または玄関扉の屋外側に設けられたものである。
【発明の効果】
【０００９】
本発明の効果として、以下に示すような効果を奏する。
【００１０】
請求項１においては、ルーバーを取り付ける窓の大きさのルーバー羽板のみを回動して角度調整することが可能となる。また、ルーバーをスライドさせることにより、窓の全面から採光することが可能となる。また、昼間は屋外に蓄熱材を向けて蓄熱材に太陽からの熱を蓄熱することができ、夜間は室内空間に蓄熱材を向けて蓄熱した熱を室内空間へ向けて放熱することができる。同時に、昼間は屋外に太陽光発電材を向けて太陽光発電をすることができる。また、自然エネルギーを有効に活用することが可能となり、省エネルギー化を達成することができる。また、昼間は室内空間に多孔質の吸音材を向けて室内防音を行うことができる。また、夜間は屋外に吸音材を向けて外界からの騒音を遮断することができる。また、室内からの音が漏れるのを防止するためプライバシーの保護を図ることができる。
【００１１】
請求項２においては、請求項１の効果に加えて、玄関の前方をルーバーによって遮蔽することにより、玄関からの見知らぬ人の侵入を防ぐことが可能となる。
【発明を実施するための最良の形態】
【００１２】
次に、発明の実施の形態を説明する。
図１は本発明の一実施例に係る集合住宅の全体的な構成を示す立面図、図２は集合住宅の一階部分の室内空間を示す平面図、図３は集合住宅の二階部分の室内空間を示す平面図、図４は集合住宅の一世帯の平面図、図５は集合住宅の玄関扉周辺の正面図、図６は玄関扉周辺の側面断面図、図７は玄関扉周辺の平面図、図８は集合住宅の一部を示す斜視図、図９はルーバーの斜視図、図１０は上方のルーバー羽板を回動した際のルーバーの背面図、図１１は上方のルーバー羽板を回動した際のルーバーの側面断面図、図１２は下方のルーバー羽板を回動した際のルーバーの背面図、図１３は下方のルーバー羽板を回動した際のルーバーの側面断面図、図１４はルーバー及びストッパーの拡大側面一部断面図、図１５は蓄熱パネルを設けたルーバーの拡大側面一部断面図、図１６は蓄熱パネルを設けたルーバーの拡大側面一部断面図、図１７は吸音パネルを設けたルーバーの拡大側面一部断面図、図１８は吸音パネルを設けたルーバーの拡大側面一部断面図、図１９は蓄熱パネル及び吸音パネルを設けたルーバーの拡大側面一部断面図、図２０は蓄熱パネル及び吸音パネルを設けたルーバーの拡大側面一部断面図、図２１は太陽光発電パネルを設けたルーバーの拡大側面一部断面図、図２２はメッシュ部材を設けたルーバーの拡大側面一部断面図、図２３は耐力壁を示す正面図、図２４は耐力壁を配置した室内空間を示す斜視図である。なお、集合住宅１０は、図１の手前方向を前方、奥方向を後方とし、図１を集合住宅１０の正面図とする。
【実施例１】
【００１３】
まず、本実施例の建築物の一実施例である集合住宅１０について図１、図２及び図３を用いて説明する。
前記集合住宅１０は、単身者若しくは夫婦が居住することを想定したワンルームタイプ、または家族が居住することを想定したファミリータイプやメゾネットタイプの部屋を具備する集合住宅である。
なお、図１、図２及び図３に示す集合住宅の構成は一例であり、これに限定するものでなく、例えばワンルームタイプのみから構成することも可能であるし、メゾネットタイプのみで構成することも可能である。
【００１４】
前記集合住宅１０では、その梁行方向（図２及び図３中矢印Ｂの方向）における一端側に桁行方向（図２及び図３中矢印Ａの方向）に沿ってバルコニー１５・１５・１５が設けられ、他端側に共用部分としての共用廊下１６が設けられる。これらバルコニー１５・１５・１５と共用廊下１６との間に各住戸の専用部分である室内空間１１・１１・１１が設けられており、隣接する室内空間１１・１１間は、梁行方向に延びる戸境壁１２で仕切られている。
【００１５】
そして、この戸境壁１２には、耐力壁２１・２１・２１・・・が、前記戸境壁１２と略直交して設けられるとともに、前記戸境壁１２に沿って複数配設されている。前記耐力壁２１・２１・２１・・・は、室内空間１１をより広く使用可能とするため、一つの室内空間１１を構成する一組の戸境壁１２・１２のうち、一側の戸境壁１２に沿って設けられる。この耐力壁２１・２１・２１・・・により、地震時に集合住宅１０が水平方向の矢印Ａ方向に揺れを受けた場合でも躯体に捩れを発生させず、集合住宅１０の耐震強度が向上するのである。
【００１６】
また、前記集合住宅１０の一側面及び中央部には、階段１３ａ・１３ｂが設けられている。前記集合住宅１０は二階建て以上の建築物であり、各階の間を前記階段１３ａ・１３ｂによって昇降するものである。また、図２及び図３に示すように、メゾネットタイプの部屋には室内空間１１内に階段１３ｃを設けている。これにより、居住者は共有空間に出ることなく各階の間を昇降することが可能となっている。
【００１７】
また、図４から図８に示すように、前記室内空間１１の共用廊下１６側の端部には、室内空間１１に向かって左側より、窓１８、インターホン２２、玄関扉１７、及びパイプスペース用ボックス２３が設けられている。前記玄関扉１７は共用空間である共用廊下１６と室内空間１１との間を区切り、開閉可能に構成している。また、前記窓１８は、図４及び図７に示すように、前記玄関扉１７の室内空間に向かって左側方に設けられており、開閉可能に構成している。また、前記インターホン２２は、前記玄関扉１７と前記窓１８との間に設けられており、呼び鈴及び新聞受けが一体となって構成されている。また、前記パイプスペース用ボックス２３は前記玄関扉１７の室内空間１１に向かって右側に設けられており、給湯器や配管などを収納できるように構成されている。
なお、前記窓１８、インターホン２２、玄関扉１７、及びパイプスペース用ボックス２３の配置は実施例に限定されるものでなく、それぞれの位置を入れ替えることも可能である。
【００１８】
前記集合住宅１０の各階の部屋において、前記パイプスペース用ボックス２３の上方には、図５に示すように、室内空間１１の上方を通るレンジフード９０やトイレなどの排気管９２（図２４参照）からの排気を排出し及び給気管へ外気を供給するための給排気口２４が設けられている。
前記給排気口２４は、図１及び図８に示すように、上階の共用廊下１６部下方に傾斜して設けられた遮蔽板３０によって遮蔽されており、集合住宅１０の外側から給排気口２４が見られないように構成している。前記遮蔽板３０は多数の孔８４・８４・８４・・・が規則的に配列された有孔板によって構成されている。また、前記共用廊下１６からの落下を防止する防護壁３１も多数の孔が規則的に配列された有孔板によって構成していることにより、集合住宅１０が外側から観察された場合、前記防護壁３１及び遮蔽板３０がともに有孔板で構成されていることから、デザインが統一され、意匠性を向上させることができる。
【００１９】
次に、本発明の要部であるルーバー２０の構造について、図９から図２２を用いて説明する。
前記ルーバー２０は、アルミ等の金属で構成されており、共用廊下１６側の窓１８の前方（屋外側）に設けられている。また、前記ルーバー２０はルーバー羽板４１と平行な方向にスライドすることができるように構成されている。図９に示すように、前記支持枠４０下端には横部材４２及び車輪４３が設けられており、前記共用廊下１６にはレール４４が穿設されており（図６及び図７参照）、前記ルーバー２０は前記レール４４に沿って図５、図７及び図８の矢印Ｘ方向に移動可能となっており、玄関扉１７の前方（屋外側）まで移動可能となっている。例えば、前記ルーバー２０をレール４４に沿って玄関扉１７の前方へ移動した場合には、窓１８の前方が開放されることとなり、窓１８全体で採光を行うことが可能となる。なお、前記ルーバー２０の支持枠４０下端を共用廊下１６に固定することも可能である。
【００２０】
梁行方向における一端側に共用廊下１６を配置した集合住宅１０の場合には、共用廊下１６側を他の部屋を訪れる人が通るために、プライバシーなどの問題から共用廊下１６側に掃き出し窓を必要とする居間、子供部屋、寝室などを配置することはできなかった。そのため、風呂やトイレ、キッチンなどの小さい窓だけで済む部屋を配置する場合が多かった。
そこで、前記窓１８を掃き出し窓で構成した場合において、ルーバー羽板４１が回転したり、ルーバー２０自身が横方向にスライドしたりすることで、必要な時だけルーバー２０で窓１８を目隠しして、不要な時はルーバー２０を開放して窓１８から採光や通気ができるように構成した。
このように構成することにより、プライバシーの保護を図ることができる。また、窓１８が必要な居間、子供部屋、寝室などを共用廊下１６側にも配置することもできるようになり、集合住宅１０の間取り設計の自由度を飛躍的に向上させるものである。
また、前記ルーバー２０をスライドする空間は従来使用しなかった外廊下１６の空間であることから、外廊下１６の空間を有効活用することができる。また、ルーバー２０をスライドさせれば、ルーバー２０の無い側の玄関扉１７もしくは窓１８を有効に使用することが可能となる。
【００２１】
また、図４の点線で示すように、前記外廊下１６に設けられた柱１６ａ及び前記パイプスペース用ボックス２３の前面の位置を揃えている。このように構成することにより、柱１６ａ及びパイプスペース用ボックス２３などの付帯物の前面への凹凸をなくすことができ、意匠的にデザインが統一される。また、玄関扉１７が、前記柱１６ａや前記パイプスペース用ボックス２３の位置よりも後方に配置されることとなるため、玄関扉１７前方に溜まりＳを設けることができ、意匠性が向上する。
【００２２】
前記ルーバー２０は、図９及び図１０に示すように、一対の支持枠４０と、一対の支持枠４０により回動自在に保持された複数のルーバー羽板４１・４１・４１・・・から構成されている。
前記支持枠４０は、集合住宅１０の高さ方向に平行に立設しており、その上端には、支持枠４０を連結する横部材４２が連設されている。
前記支持枠４０の間には、複数のルーバー羽板４１・４１・４１・・・が横架されており、該ルーバー羽板４１・４１・４１・・・は前記支持枠４０により、回動自在に保持されている。すなわち、前記ルーバー羽板４１の回動軸４１ａが前記支持枠４０に回動自在に嵌設されることにより保持されているものである。
前記ルーバー羽板４１は板状の部材で形成されており、図１１に示すように、断面視平行四辺形状に形成されている。また、前記ルーバー羽板４１と隣り合うルーバー羽板４１とは回動しても接触しないように構成されている。すなわち前記ルーバー羽板４１の最大半径が前記ルーバー羽板４１と隣り合うルーバー羽板４１との間隔よりも短く構成されているものである。このように構成することにより、前記ルーバー羽板４１は３６０度回転することが可能となっている。
【００２３】
また、図１１に示すように、前記ルーバー羽板４１の回動軸４１ａの端部には歯車４７が設けられており、上下方向に隣接するルーバー羽板４１の歯車４７・４７・４７・・・の間には、カウンター歯車４８・４８・４８・・・が介設されている。このように構成することにより、一のルーバー羽板４１を回動させると、前記カウンター歯車４８によって、他のルーバー羽板４１の歯車４７が回転し、結果、ルーバー羽板４１が連動して回動するものである。
また、前記ルーバー羽板４１は二以上のグループを形成しており、該グループに属しているルーバー羽板４１の歯車４７と歯車４７との間にのみ前記カウンター歯車４８が介設されている。このように構成することにより、前記ルーバー羽板４１は同一グループのルーバー羽板４１が回動した場合のみ連動して回動し、他のグループのルーバー羽板４１が回動した場合には、回動に連動することなく、各グループのルーバー羽板４１を個別に回動させることができる。例えば、図１０及び図１１に示すように、共用廊下１６側の窓１８がルーバー２０上部に対応する位置にある場合、または窓１８を掃き出し窓で構成しても、窓１８の上半分を開放したり、目隠ししたりする場合には、前記ルーバー２０のルーバー羽板４１のうち、上部のグループのみを回動することにより、窓１８から室内への採光、通気が行える。また、図１２及び図１３に示すように、共用廊下１６側の窓１８がルーバー２０下部に対応する位置にある場合、または窓１８を掃き出し窓で構成しても、窓の下半分を開放したり、目隠ししたりする場合には、前記ルーバー２０のルーバー羽板４１のうち、下部のグループのみを回動することにより、窓１８から室内空間１１への採光、通気が行える。
【００２４】
また、図１４に示すように、前記ルーバー羽板４１のグループのうち、いずれか一のルーバー羽板４１にストッパー４５が設けられている。該ストッパー４５は、前記支持枠４０に設けられたストッパー孔４０ａ方向へ摺動させて、前記ストッパー孔４０ａへ貫入することにより、前記ルーバー羽板４１を固定するものである。このように構成することにより、簡単な操作でルーバー羽板４１を任意の角度で固定することが可能となる。
【００２５】
また、図１５及び図１６に示すように、前記ルーバー羽板４１は、少なくともどちらか一方の表面に蓄熱材としての蓄熱パネル６０を貼設する。前記蓄熱パネル６０は、物質の相変化等に伴う潜熱を利用した潜熱蓄熱材等で構成されており、例えば、結晶水を含む無機水和物、無機系共晶物、パラフィンやワックス等の炭化水素化合物、芳香族炭化水素化合物、脂肪酸類、エステル化合物及びアルコール類等の化合物などによって構成されている。
前記ルーバー羽板４１は回動可能であるので、例えば、昼間は、図１５に示すように、前記蓄熱パネル６０を張った面を屋外へ向けることができる。
また。夜間は、図１６に示すように前記ルーバー羽板４１を１８０度回動させて、前記蓄熱を行った蓄熱パネル６０の面を室内空間１１側へ向けることができる。
このように構成することにより、昼間は、太陽からの熱を前記蓄熱パネルに蓄熱させ、夜間は、室内空間１１へ向けて蓄熱した熱を放熱して室内空間１１を暖房することができる。また、自然エネルギーを利用した室内空間１１の暖房を可能とし、省エネルギー化を達成でき、環境に悪影響を与えず室内空間１１を暖房することができる。
【００２６】
また、図１７及び図１８に示すように、前記ルーバー羽板４１の、少なくとも一方の表面に吸音材としての多孔質の吸音パネル６１を貼設することもできる。前記吸音パネル６１は、多孔質の素材や、スポンジ等の音を吸収できる素材で構成されている。
前記ルーバー羽板４１は回動可能であるので、例えば、昼間は、図１７に示すように、前記吸音パネル６１を貼った面を室内空間１１側へ向けることができる。
また、夜間は、図１８に示すように、前記ルーバー羽板４１を１８０度回動させて、前記吸音パネル６１を屋外側へ向けることができる。
このように構成することにより、昼間は、室内空間１１の音が外部に漏れるのを防止するものである。また、夜間は、屋外の騒音を吸音パネル６１で吸収することが可能となり、屋内へ騒音が入ってくるのを防止することができる。
【００２７】
また、図１９及び図２０に示すように、前記ルーバー羽板４１の一面に蓄熱パネル６０を貼設し、他の一面に吸音パネル６１を貼設することもできる。前記ルーバー羽板４１の蓄熱パネル６０が屋外に向けられていた場合には、前記ルーバー羽板４１の吸音パネル６１が室内空間１１側に向けられることとなり、前記ルーバー羽板４１の吸音パネル６１が屋外に向けられていた場合には、前記ルーバー羽板４１の蓄熱パネル６０が室内空間１１側に向けられることとなる。
例えば、昼間は、図１９に示すように、前記蓄熱パネル６０を貼設した面を屋外へ向けて、前記吸音パネル６１を貼設した面を室内空間１１側へ向けることができる。
また、夜間は、図２０に示すように、前記ルーバー羽板４１を１８０度回動させて、前記蓄熱を行った蓄熱パネル６０の面を室内空間１１側へ向けて、前記吸音パネル６１を屋外側へ向けることができる。
このように構成することにより、昼間は、太陽からの熱を前記蓄熱パネル６０に蓄熱させると同時に、室内空間１１の音が外部に漏れるのを防止することができる。また、夜間は、室内空間１１へ向けて蓄熱した熱を放熱して室内空間１１を暖房すると同時に、夜間の屋外の騒音を吸音パネル６１で吸収することが可能となり、屋内へ騒音が入ってくるのを防止することができる。
【００２８】
また、図２１に示すように、前記ルーバー羽板４１は、少なくともどちらか一方の表面に太陽光発電パネル６２を貼設することもできる。前記太陽光発電パネル６２は、多数のソーラセルが略平板状に配置されており、前記太陽光発電パネル６２が太陽光等を受光することにより発電するものである。例えば、昼間に太陽光発電パネル６２を張った面を図２１に示すように、屋外へ向けておくことにより太陽光を効率よく受光して発電することができる。また、太陽の動きに合わせ、前記ルーバー羽板４１を回動させて角度を調節して前記ストッパー４５で固定することにより、より効率的な発電を行うことも可能である。
このように構成することにより、自然エネルギーを有効に活用することが可能となり、省エネルギー化を達成することができる。
【００２９】
なお、前記ルーバー羽板４１の素材はアルミ等の金属に限定するものではなく、例えば、木材や竹材などの自然由来の素材を使用することも可能である。また、前記ルーバー羽板４１の同じ面に、前記蓄熱パネル６０、吸音パネル６１、及び太陽光発電パネル６２を組み合わせて貼設することも可能である。
【００３０】
また、図２２に示すように、前記ルーバー羽板４１とルーバー羽板４１との間にメッシュ部材６５を取り付けることもできる。前記メッシュ部材６５は前記ルーバー羽板４１の端面と前記ルーバー羽板４１の端面との間に張設されており、前記ルーバー羽板４１が地面と平行である場合には、前記メッシュ部材６５が地面と略垂直に張られることとなる。また、前記ルーバー羽板４１の端面と前記ルーバー羽板４１の端面との間の距離は一定であることから前記ルーバー羽板４１を回動させることにより前記メッシュ部材６５が破れることもない。
このように構成することにより、前記窓１８を開放し、前記ルーバー２０を開放状態にした場合においても、虫などが室内空間１１内へ侵入してくるのを防ぐことが可能である。
【００３１】
次に、本発明に係る耐力壁２１について、図４、図２３及び図２４を用いて説明する。
一枚の耐力壁２１は、図２３に示すように、二本の柱材８３・８３と、この柱材８３・８３間に架設された面材８２とで構成される。
前記耐力壁２１の左右両端部に位置する柱材８３・８３は、平面視略正方形型の鋼管から構成されている。また、左右の柱材８３はともに室内空間１１に露出する部材であるので、耐力壁２１は戸境壁１２からの熱伝導を受けないため、外気温の影響を室内空間１１へ伝導することを防止できる。また、前記耐力壁２１は外部から断熱されるため、内部結露等を防止することが可能となる。
【００３２】
前記面材８２は、鉄板や鋼板等の金属板によって形成され、多数の孔８４・８４・８４・・・が規則的に配列されたいわゆる有孔板が採用される。面材８２として有孔板を採用することで、面材８２の軽量化を図るとともに、面材８２に採光性を備えて、耐力壁２１によって室内空間１１内に生じる影の低減が図られている。
【００３３】
また、前記面材８２の上部には、円形状若しくは長円形状の機能孔８５、８６、８７が複数個開口される。これらの機能孔８５、８６、８７は、様々な配管が挿通されて支持される。例えば、図２４に示す室内空間１１においては、機能孔８５に上階の排水管８８を挿通され支持されている。前記機能孔８５は長円形に構成されており、前記排水管８８を排出側へ向かうにつれて下方に傾斜して配設することが可能となっている。
また、前記機能孔８６に室内空間１１内へ給気を行う給気管８９及び、レンジフード９０などが挿通され支持されている。また、前記機能孔８７にエアコンドレイン９１や、浴室、トイレなどの排気管９２が挿通され支持されている。なお、前記機能孔に挿通される配管は実施例に限定されるものでなく、例えば、他の給気管や排気管を挿通することも可能である。
【００３４】
また、図４に示すように、前記耐力壁２１・２１・２１・・・は室内空間１１のどちらか一方の戸境壁１２に沿うように、複数枚が規則的に配置される。前記耐力壁２１・２１・２１・・・は設計計画に合わせて間隔を変えることも可能である。本実施例では、耐力壁２１は梁行方向に沿って、桁行方向（戸境壁１２と直交する方向）に複数配置されている。このように構成することにより、集合住宅１０の桁行方向への耐力が向上するため、地震等の振動による横揺れ（桁行方向への揺れ）に対する耐震強度を大きくすることが可能となる。そして、前記耐力壁２１は、複数枚が戸境壁１２に対して垂直かつ等間隔に配置されることにより、不規則に耐力壁２１を配列する場合と比較してねじれが発生し難く、地震時における桁行方向の水平荷重を支持しやすい建築物を構成することができるのである。
【図面の簡単な説明】
【００３５】
【図１】本発明の一実施例に係る集合住宅の全体的な構成を示す立面図。
【図２】集合住宅の一階部分の室内空間を示す平面図。
【図３】集合住宅の二階部分の室内空間を示す平面図。
【図４】集合住宅の一世帯の平面図。
【図５】集合住宅の玄関扉周辺の正面図。
【図６】玄関扉周辺の側面断面図。
【図７】玄関扉周辺の平面図。
【図８】集合住宅の一部を示す斜視図。
【図９】ルーバーの斜視図。
【図１０】上方のルーバー羽板を回動した際のルーバーの背面図。
【図１１】上方のルーバー羽板を回動した際のルーバーの側面断面図。
【図１２】下方のルーバー羽板を回動した際のルーバーの背面図。
【図１３】下方のルーバー羽板を回動した際のルーバーの側面断面図。
【図１４】ルーバー及びストッパーの拡大側面一部断面図。
【図１５】蓄熱パネルを設けたルーバーの拡大側面一部断面図。
【図１６】蓄熱パネルを設けたルーバーの拡大側面一部断面図。
【図１７】吸音パネルを設けたルーバーの拡大側面一部断面図。
【図１８】吸音パネルを設けたルーバーの拡大側面一部断面図。
【図１９】蓄熱パネル及び吸音パネルを設けたルーバーの拡大側面一部断面図。
【図２０】蓄熱パネル及び吸音パネルを設けたルーバーの拡大側面一部断面図。
【図２１】太陽光発電パネルを設けたルーバーの拡大側面一部断面図。
【図２２】メッシュ部材を設けたルーバーの拡大側面一部断面図。
【図２３】耐力壁を示す正面図。
【図２４】耐力壁を配置した室内空間を示す斜視図。
【符号の説明】
【００３６】
１０    集合住宅
１１    室内空間
１２    戸境壁
１５    バルコニー
１６    共用廊下
１７    玄関扉
２０    ルーバー
２１    耐力壁
４０    支持枠
４１    ルーバー羽板
４５    ストッパー
６０    蓄熱パネル
６１    吸音パネル
６２    太陽光発電パネル
【図１】
0005369487.tif 000002
【図２】
0005369487.tif 000003
【図３】
0005369487.tif 000004
【図４】
0005369487.tif 000005
【図５】
0005369487.tif 000006
【図６】
0005369487.tif 000007
【図７】
0005369487.tif 000008
【図８】
0005369487.tif 000009
【図９】
0005369487.tif 000010
【図１０】
0005369487.tif 000011
【図１１】
0005369487.tif 000012
【図１２】
0005369487.tif 000013
【図１３】
0005369487.tif 000014
【図１４】
0005369487.tif 000015
【図１５】
0005369487.tif 000016
【図１６】
0005369487.tif 000017
【図１７】
0005369487.tif 000018
【図１８】
0005369487.tif 000019
【図１９】
0005369487.tif 000020
【図２０】
0005369487.tif 000021
【図２１】
0005369487.tif 000022
【図２２】
0005369487.tif 000023
【図２３】
0005369487.tif 000024
【図２４】
0005369487.tif 000025